(57)【要約】【課題】古紙リサイクル工程の離解処理、除塵処理において非接触型ＩＣタグを易分離化し、効果的に除去し、古紙リサイクルを可能とする非接触型ＩＣタグを備える書籍等を提供する。【解決手段】非接触型ＩＣタグ付き書籍１は、ベースフィルム１２の上にアンテナパターン１３を配設し、アンテナパターン１３に電気的に接続したＩＣチップ１４とから形成されるインレット２０を外装フィルム材１６で被覆される非接触型ＩＣタグ１１を、表紙２の内面側に貼着する。回収された非接触ＩＣタグ付き書籍１のリサイクル工程において、非接触型ＩＣタグ１１は、外装フィルム材の外装フィルム材１６で保護されており、パルパーによる離解処理で破損、分解されず、次のスクリーンによる除塵処理で分離され異物として除去され、古紙を再生利用できる。【選択図】図１
2009059153.tif 000002
【特許請求の範囲】
【請求項１】
ベースフィルム上に配設されたアンテナパターンと、前記アンテナパターンに接続するＩＣチップとで形成されるインレットの周りに、表面全面に、前記ＩＣチップと前記アンテナパターンの破損を防止する外装フィルム材を設ける非接触型ＩＣタグを、表紙、裏表紙、背表紙、綴込み用紙のいずれかに備えることを特徴とする書籍。
【請求項２】
前記外装フィルム材は、合成樹脂であることを特徴とする請求項１記載の書籍。
【請求項３】
前記インレットの両面に前記外装フィルム材を被覆し、外周縁部を加熱圧着することを特徴とする請求項１又は請求項２記載の書籍。
【請求項４】
前記外装フィルム材は、接着層を介して設けることを特徴とする請求項１又は請求項２記載の書籍。
【請求項５】
ベースフィルム上に配設されたアンテナパターンと、前記アンテナパターンに接続するＩＣチップとでインレットを形成する工程（ａ）と、
前記インレットの周りに外装フィルム材を設け非接触型ＩＣタグを形成する工程（ｂ）と、
前記非接触型ＩＣタグを書籍の表紙、裏表紙、背表紙、綴込み用紙のいずれかに貼着する工程（ｃ）と、
を具備することを特徴とする書籍の製造方法。
【請求項６】
前記工程（ｂ）は、前記インレットの両面に前記外装フィルム材を被覆し、外周縁部を加熱圧着することを特徴とする請求項５記載の書籍の製造方法。
【請求項７】
前記工程（ｂ）は、前記外装フィルム材を、接着層を介して設けることを特徴とする請求項５記載の書籍の製造方法。
【発明の詳細な説明】
【技術分野】
【０００１】
本発明は、非接触情報通信を行う非接触型ＩＣ（Ｉｎｔｅｇｒａｔｅｄ Ｃｉｒｃｕｉｔ）タグに係り、特に、非接触型ＩＣタグ付きの書籍および書籍の製造方法に関する。
【背景技術】
【０００２】
従来、新聞紙、雑誌、本などの回収された古紙が再利用されており、近年は更に環境保護から、古紙の再生利用が重要視されている。回収された古紙は、それぞれ紙料の用途に応じ離解、異物除去、脱墨、漂白などのリサイクル処理を行い再利用されて来た。
【０００３】
また、昨今、リーダライタと非接触で交信して、情報記憶、表示に使用する非接触型ＩＣタグが、ＩＣタグラベル、荷物、ケースに取り付ける荷札等として、広範囲な用途に利用されている。例えば、書籍や雑誌にも非接触ＩＣタグを付して、物流管理や書籍の検索、盗難防止等を行う技術が開示されている（例えば、特許文献１参照）。
【０００４】
【特許文献１】特開２００３−６３６５５号公報
【発明の開示】
【発明が解決しようとする課題】
【０００５】
回収された古紙のリサイクル工程は、一般に、新聞紙、雑誌、本などの古紙をパルパーに投入して離解し、スクリーンにより除塵し、異物が除去される。次に、フローテーターによりこの古紙繊維に付着した粒子、印刷インクなどの異物を除去したパルプ繊維を採取し一旦蓄積され、その後は後続の処理工程へと搬送される。
しかしながら、物流管理や書籍の検索、盗難防止等を目的とした、非接触型ＩＣタグ付きの書籍の古紙をリサイクルすると、パルパーにより、非接触型ＩＣタグを構成するＩＣチップやアンテナなどの金属は１０〜２０μｍ程度に分解され破片になり、次にスクリーンにより除塵処理を行い、５０μｍ以上の異物は除去されるが、ＩＣチップやアンテナなどの金属は１０〜２０μｍ程度に分解されているので、異物として除去されず、紙料に金属が含まれてしまい、再生できなかった。
【０００６】
本発明は、以上の点に鑑みてなされたものであり、古紙リサイクル工程の離解処理、除塵処理において非接触型ＩＣタグを易分離化し、効果的に除去し、古紙リサイクルを可能とする非接触型ＩＣタグを備える書籍等を提供することを目的とする。
【課題を解決するための手段】
【０００７】
前述した目的を達成するために第１の発明は、ベースフィルム上に配設されたアンテナパターンと、前記アンテナパターンに接続するＩＣチップとで形成されるインレットの周りに、表面全面に、前記ＩＣチップと前記アンテナの破損を防止する外装フィルム材を設ける非接触型ＩＣタグを、表紙、裏表紙、背表紙、綴込み用紙のいずれかに備えることを特徴とする書籍である。
【０００８】
また、前記外装フィルム材は、合成樹脂であることが望ましい。
また、前記インレットの両面に前記外装フィルム材を被覆し、外周縁部を加熱圧着しすることが望ましい。
また、前記外装フィルム材は、接着層を介して設けることが望ましい。
【０００９】
「ＩＣチップ」は、制御部、情報記憶のためのメモリ部、非接触型ＩＣ無線通信部等を備えるものである。
「インレット」は、外装フィルム材を配設する前の、一次加工部材である。
【００１０】
第１の発明による書籍は、ベースフィルム上に配設されたアンテナパターンと、アンテナパターンに接続するＩＣチップとで形成されるインレットの周りに、表面全面に、ＩＣチップとアンテナパターンの破損を防止する外装フィルム材を設ける非接触型ＩＣタグを、表紙、裏表紙、背表紙、綴込み用紙のいずれかに備える。
【００１１】
第１の発明の書籍は、表面に強度、耐性を有する非接触型ＩＣタグを書籍に取り付け、この非接触型ＩＣタグ付き書籍を回収してリサイクルする場合、パルパーにより非接触型ＩＣタグを構成するＩＣチップやアンテナパターンなどの金属の分解に対する負荷に強く、分解せずに、次のスクリーンにより異物として除去することを可能とする。
【００１２】
また、第２の発明は、ベースフィルム上に配設されたアンテナパターンと、前記アンテナパターンに接続するＩＣチップとでインレットを形成する工程（ａ）と、前記インレットの周りに外装フィルム材を設け非接触型ＩＣタグを形成する工程（ｂ）と、前記非接触型ＩＣタグを書籍の表紙、裏表紙、背表紙、綴込み用紙のいずれかに貼着する工程（ｃ）と、を具備することを特徴とする書籍の製造方法である。
【００１３】
第２の発明は、第１の発明の非接触型ＩＣタグの製造方法に関する発明である。
【発明の効果】
【００１４】
本発明は、以上の点に鑑みてなされたものであり、古紙リサイクル工程の離解処理、除塵処理において非接触型ＩＣタグを易分離化し、効果的に除去し、古紙リサイクルを可能とする非接触型ＩＣタグを備える書籍等を提供することができる。
【発明を実施するための最良の形態】
【００１５】
以下に、添付図面を参照しながら、本発明に係る非接触型ＩＣタグ付き書籍の好適な実施形態について詳細に説明する。尚、以下の説明および添付図面において、略同一の機能構成を有する構成要素については、同一の符号を付することにより重複説明を省略することにする。
【００１６】
図１は、本実施の形態に係る非接触型ＩＣタグ付き書籍１を示す斜視図である。図１は、非接触型ＩＣタグ付き書籍１の一例であり、図１に示すように、非接触型ＩＣタグ付き書籍１は、表紙２、裏表紙３、背表紙４、本文ページ５、非接触型ＩＣタグ１１等からなり、表紙２の内面側（又は外面側）に非接触型ＩＣタグ１１が装着される。例えば、見返しと表紙２の間を接着し、非接触型ＩＣタグ１１が見えないように構成されている。尚、表紙２の外面側よりも内面側の方が、非接触型ＩＣタグ１１が隠れる点で好ましい。
【００１７】
図２は、非接触型ＩＣタグ１１を示す平面図である。図２は、非接触型ＩＣタグ１１の一例であり、図１に示すように、非接触型ＩＣタグ１１は、ベースフィルム１２、アンテナパターン１３、ＩＣチップ１４、外装フィルム材１６等を備える。
非接触型ＩＣタグ１１は、ベースフィルム１２の上に、アンテナパターン１３を配設し、アンテナパターン１３に電気的に接続したＩＣチップ１４とから形成される非接触ＩＣタグ１のインレットシート（以降、インレット２０と称す）を外装フィルム材１６で被覆する。
【００１８】
図３、図４は、非接触型ＩＣタグ１１の構成を示す断面図である。
図３に示すように、非接触型ＩＣタグ１１は、外装フィルム材１６、接着層１７、インレット２０、接着層１７、外装フィルム材１６の層構成となっている。形成されたイントレット２０のベースフィルム１２のアンテナパターン１３、ＩＣチップ１４側の面、及び反対側の面に、接着剤を貼着し、表面基材として外装フィルム材１６をベースフィルム１２に貼着し、外装フィルム材１６を形成する。
【００１９】
図４に示すように、各フィルム層を積層し、インレット２０の上面に形成された外装フィルム材１６は、接着剤を介して、アンテナパターン１３と接続されたＩＣチップ１４を覆うように貼着し形成される。また、インレット２０の両面に、外装フィルム材１６を積層し、外周縁部を加熱圧着してもよい。
【００２０】
インレット２０の基材であるベースフィルム１２としては、ＰＥＴ（ポリエチレンテレフタレート）、ＰＥＮ（ポリエチレンナフタレート）、ＰＥＴ−Ｇ（テレフタル酸−シクロヘキサンジメタノール−エチレングリコール共重合体）、ＰＰ（ポリプロピレン）、ＰＥ（ポリエチレン）、ＰＣ（ポリカーボネート）、ＰＡ（ポリアミド）、ＰＰＳ（ポリフェニレンサルフイド）、ポリ塩化ビニル、塩化ビニル−酢酸ビニル共重合体、セルロースジアセテート、セルローストリアセテート、ポリスチレン系、ＡＢＳ、ポリアクリル酸エステル、ポリエチレン、ポリウレタン等の素材が使用される。
【００２１】
また、外装フィルム材１６としては、上記ベースフィルム１２に挙げたものが使用できる。
接着層１７を形成する接着剤は、ポリアクリル酸エステル、ゴム系粘着剤、シリコーン粘着剤等の各種材料を使用する。
【００２２】
次に、図５を参照しながら、本実施形態の非接触型ＩＣタグ１１及び非接触型ＩＣタグ付き書籍１の製造方法について説明する。
図５は、非接触型ＩＣタグ１１及び非接触型ＩＣタグ付き書籍１の製造方法を示すフローチャートである。
【００２３】
図６は、非接触型ＩＣタグ１１のインレット２０の断面図である。
まず、図６に示すように、ベースフィルム１２の上に、アンテナパターン１３を配設し、アンテナパターン１３に電気的に接続したＩＣチップ１４とから非接触ＩＣタグ１のインレット２０を形成する（ステップＳ５０１）。
【００２４】
次に、前述した図２に示すように、外装フィルム材１６の表面基材を、形成したインレット２０のＩＣチップ１４側の面、及び反対側の面に、接着剤を貼着し、表面基材として外装フィルム材１６をベースフィルム１２に貼着し、両面ラミネートする（ステップＳ５０２）。
【００２５】
図７は、剥離紙２２に仮貼付された非接触型ＩＣタグ１１を示す図である。
次に、図７に示すように、ベースフィルム１２のＩＣチップ１４とは反対側の面に粘着剤を剥離紙２２に塗布しながらインレット２０に仮貼着し（ステップＳ５０３）、更に、必要に応じて、ラベルプリンタ等により管理Ｎｏ．（例えば、「ＤＮＰ００１」、「ＤＮＰ００２」、・・・）等の目視情報２１を外装フィルム材１６の表面に印字し、印字層（図示せず）を形成する（ステップＳ５０４）。
【００２６】
製造された非接触ＩＣタグ１１を、書籍の表紙２の内面側（又は外面側）の所定位置に貼り付け、非接触ＩＣタグ付き書籍１が形成される（ステップＳ５０５）。
【００２７】
次に、回収された非接触ＩＣタグ付き書籍１等の古紙のリサイクル工程を説明する。図８は、古紙のリサイクル工程４０の処理の流れを示す図である。
【００２８】
図８に示すように、古紙のリサイクル工程４０は、まず、回収された非接触ＩＣタグ付き書籍１を含む書籍、新聞紙、雑誌等の古紙（原料）４５、及び水や薬品をパルパー４１に投入して古紙４５の離解処理を行う（ステップＳ８０１）。離解処理では、古紙（原料）４５を１０〜２０μｍ程度に分解する。非接触ＩＣタグ付き書籍１の非接触型ＩＣタグ１１を構成するＩＣチップ１４やアンテナパターン１３などの金属は外装フィルム材の外装フィルム材１６で保護されているので、破損、分解されずに次の除塵処理へ送られる。
【００２９】
次に、スクリーン４２（ドラムスクリーン）により除塵処理を行い（ステップＳ８０２）、５０μｍ以上の異物は除去される。ラミネートされた非接触型ＩＣタグ１１は、分離され異物として除去される。
【００３０】
次に、フローテーター４３により脱墨処理を行い（ステップＳ８０３）、この古紙繊維に付着した粒子、印刷インクなどの３〜１０μｍの異物を除去し、更に、スクリーン４２（ドラムスクリーン）により除塵処理を行い（ステップＳ８０４）、パルプ繊維を採取し一旦貯蔵され（ステップＳ８０５）、その後は後続の処理工程へと搬送され、古紙を再生利用する。
【００３１】
以上説明したように、本発明の実施の形態によれば、非接触型ＩＣタグ付き書籍１は、ベースフィルム１２上に配設されたアンテナパターン１３と、アンテナパターン１３に接続するＩＣチップ１４とで形成されるインレット２０の周りに、表面全面に、ＩＣチップ１４とアンテナパターン１３の破損を防止する外装フィルム材である外装フィルム材１６を設ける非接触型ＩＣタグ１１を、表紙２の内面側（又は外面側）に備える。
【００３２】
これにより、非接触型ＩＣタグ付き書籍は、表面に強度、耐性を有した非接触型ＩＣタグを書籍に取り付けることにより、この非接触型ＩＣタグ付き書籍を回収してリサイクルする場合、パルパーにより非接触型ＩＣタグを構成するＩＣチップやアンテナパターンなどの金属の分解に対する負荷に強く、分解せずに、次のスクリーンにより異物として除去することを可能とする。
【００３３】
尚、本実施の形態では、書籍の表紙２に非接触型ＩＣタグ１１を貼着し設けたが、これに限らない。書籍の表紙２、裏表紙３、背表紙４、綴込み用紙５等のいずれかに装着すればよい。
図９は、裏表紙３に非接触型ＩＣタグ１１を貼着した非接触型ＩＣタグ付き書籍１ａを示す図である。
図９に示すように、非接触型ＩＣタグ付き書籍１ａは、裏表紙３の内面側（又は外面側）に非接触型ＩＣタグ１１を貼着する。
【００３４】
図１０は、綴込み用紙６に非接触型ＩＣタグ１１を貼着した非接触型ＩＣタグ付き書籍１ｂを示す図である。
図１０に示すように、非接触型ＩＣタグ付き書籍１ｂは、書籍の表紙２と最初のページの間や裏表紙３と最後のページの間に位置する綴込み用紙６（例えば、綴込みハガキ）を備えており、この綴込み用紙６に非接触型ＩＣタグ１１を貼着したものである。
【００３５】
図１１は、背表紙４に非接触型ＩＣタグ１１を貼着した非接触型ＩＣタグ付き書籍１ｃを示す図である。
図１１に示すように、非接触型ＩＣタグ付き書籍１ｃは、背表紙４の内面（又は外面側）に非接触型ＩＣタグ１１を貼着する。
【００３６】
尚、表紙２、裏表紙３、背表紙４の外面側よりも内面側の方が、非接触型ＩＣタグ１１が隠れる点で好ましい。また、本文ページ５の所定のページに貼着してもよい（図示せず）。
【００３７】
以上、添付図面を参照しながら、本発明に係る非接触型ＩＣタグ付き書籍１の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００３８】
【図１】本実施の形態に係る非接触型ＩＣタグ付き書籍１を示す斜視図
【図２】非接触型ＩＣタグ１１を示す平面図
【図３】非接触型ＩＣタグ１１の構成を示す断面図
【図４】非接触型ＩＣタグ１１の構成を示す断面図
【図５】非接触型ＩＣタグ１１及び非接触型ＩＣタグ付き書籍１の製造方法を示すフローチャート
【図６】非接触型ＩＣタグ１１のインレット２０の断面図
【図７】剥離紙２２に仮貼付された非接触型ＩＣタグ１１を示す図
【図８】古紙のリサイクル工程４０の処理の流れを示す図
【図９】裏表紙３に非接触型ＩＣタグ１１を貼着した非接触型ＩＣタグ付き書籍１ａを示す図
【図１０】綴込み用紙６に非接触型ＩＣタグ１１を貼着した非接触型ＩＣタグ付き書籍１ｂを示す図
【図１１】背表紙４に非接触型ＩＣタグ１１を貼着した非接触型ＩＣタグ付き書籍１ｃを示す図
【符号の説明】
【００３９】
１、１ａ、１ｂ、１ｃ………非接触型ＩＣタグ付き書籍
２………表紙
３………裏表紙
４………背表紙
５………本文ページ
６………綴込み用紙
１１………非接触型ＩＣタグ
１２………ベースフィルム
１３………アンテナパターン
１４………ＩＣチップ
１６………外装フィルム材
１７………接着層
２０………インレット
２１………目視情報
２２………剥離紙
４１………パルパー
４２………スクリーン
４３………フローテーター
４５………古紙
【図１】
2009059153.tif 000003
【図２】
2009059153.tif 000004
【図３】
2009059153.tif 000005
【図４】
2009059153.tif 000006
【図５】
2009059153.tif 000007
【図６】
2009059153.tif 000008
【図７】
2009059153.tif 000009
【図８】
2009059153.tif 000010
【図９】
2009059153.tif 000011
【図１０】
2009059153.tif 000012
【図１１】
2009059153.tif 000013